(57)【要約】【課題】本発明は、イヤホン装置がイヤホン接続インターフェースから離脱してもチックノイズが発生しないようにサポートするイヤホン接続インターフェース及び端末機運用方法と、これを含む端末機を提供するためのものである。【解決手段】本発明はイヤホン接続インターフェースに関し、特に本発明は溝の内壁に配置される端末左側端子、端末右側端子、端末接地端子、イヤホン検出端子、及び端末マイク端子、前記端末マイク端子に連結されるイヤマイクバイアス電圧源、スイッチ素子を通じて前記端末マイク端子に連結されるキャパシタを含むことを特徴とするイヤホン接続インターフェースと、これを含む端末機及びその運用方法の構成を開示する。【選択図】図１
2014050108.tif 000002
【特許請求の範囲】
【請求項１】
溝の内壁に配置される端末左側端子、端末右側端子、端末接地端子、イヤホン検出端子、及び端末マイク端子と、
前記端末マイク端子の電位を選択的に変換するスイッチ素子と、
を含むことを特徴とする、イヤホン接続インターフェース。
【請求項２】
前記スイッチ素子を通じて端末マイク端子に連結されるキャパシタ及びイヤマイクバイアス電圧源のうちの少なくとも１つと、
前記イヤホン検出端子に連結されるプルアップ電圧及びプルアップ抵抗と、
前記イヤホン検出端子に連結される比較器と、
前記比較器の出力端と前記スイッチ素子の制御端子とを連結する信号ラインと、
をさらに含むことを特徴とする、請求項１に記載のイヤホン接続インターフェース。
【請求項３】
前記スイッチ素子は、
前記比較器の第１出力信号によって前記端末マイク端子と前記キャパシタとを断線させるようにパスを形成し、
前記比較器の第２出力信号によって前記端末マイク端子と前記キャパシタとを連結するようにパスを形成することを特徴とする、請求項２に記載のイヤホン接続インターフェース。
【請求項４】
前記スイッチ素子に前記キャパシタと並列に連結される接地端をさらに含むことを特徴とする、請求項２に記載のイヤホン接続インターフェース。
【請求項５】
前記スイッチ素子は、
前記比較器の第１出力信号によって前記端末マイク端子と前記接地端とを連結させるようにパスを形成し、
前記比較器の第２出力信号によって前記端末マイク端子と前記接地端とを断線させるようにパスを形成することを特徴とする、請求項４に記載のイヤホン接続インターフェース。
【請求項６】
前記スイッチ素子は、
前記イヤホン検出端子とイヤホン装置のイヤホンプラグとが接触する場合、前記端末マイク端子とキャパシタとが連結されるようにパスを形成し、
前記イヤホン検出端子とイヤホン装置のイヤホンプラグとが接触解除状態の場合、前記端末マイク端子と前記キャパシタとを断線させるようにパスを形成することを特徴とする、請求項２に記載のイヤホン接続インターフェース。
【請求項７】
前記スイッチ素子と前記端末接地端子との間に配置されるチューニング抵抗をさらに含むことを特徴とする、請求項１に記載のイヤホン接続インターフェース。
【請求項８】
前記イヤホン検出端子は、
前記端末左側端子が配置された位置より溝底部に一定距離以前の位置に配置されることを特徴とする、請求項１に記載のイヤホン接続インターフェース。
【請求項９】
イヤホンプラグを前記端末接地端子と前記端末マイク端子との間に配置して挿入する時、前記イヤホンプラグのイヤホン接地端子との接触に従う電気的変化を感知するための端末接地検出端子をさらに含み、
前記スイッチ素子は、
端末接地検出端子で発生する電気的変化によって動作することを特徴とする、請求項１に記載のイヤホン接続インターフェース。
【請求項１０】
前記イヤホン検出端子と連結される比較器の出力端と、前記端末接地検出端子の出力端を入力とし、出力が前記スイッチ素子の制御端子に供給されるＯＲゲートとをさらに含むことを特徴とする、請求項９に記載のイヤホン接続インターフェース。
【請求項１１】
溝の内壁に配置される端末左側端子、端末右側端子、端末接地端子、イヤホン検出端子、及び端末マイク端子、前記端末マイク端子に連結されて前記端末マイク端子の電位を選択的に変換するスイッチ素子を含むイヤホン接続インターフェースと、
前記イヤホン接続インターフェースにイヤホン装置が挿入される場合、挿入されたイヤホン装置のイヤホン機能サポートを制御し、前記イヤホン装置の挿入解除時、前記イヤホン装置のイヤホン機能サポートを中止するように制御する制御部と、
を含むことを特徴とする、イヤホン運用をサポートする端末機。
【請求項１２】
前記イヤホン接続インターフェースは、
前記端末マイク端子に連結されるイヤマイクバイアス電圧源、前記スイッチ素子を通じて前記端末マイク端子に連結される接地端またはキャパシタと、
前記イヤホン検出端子に連結されるプルアップ電圧及びプルアップ抵抗と、
前記イヤホン検出端子に連結される比較器と、
前記比較器の出力端と前記スイッチ素子の制御端子とを連結する信号ラインと、
をさらに含むことを特徴とする、請求項１１に記載のイヤホン運用をサポートする端末機。
【請求項１３】
前記スイッチ素子は、
前記比較器の第１出力信号によって前記端末マイク端子と前記キャパシタとを断線させ、前記端末マイク端子と接地端とを連結するようにパスを形成し、
前記比較器の第２出力信号によって前記端末マイク端子と前記キャパシタとを連結するようにパスを形成することを特徴とする、請求項１２に記載のイヤホン運用をサポートする端末機。
【請求項１４】
前記スイッチ素子は、
前記イヤホン検出端子とイヤホン装置のイヤホンプラグとが接触する場合、前記端末マイク端子とキャパシタとが連結されるようにパスを形成し、
前記イヤホン検出端子とイヤホン装置のイヤホンプラグとが接触解除された状態の場合、前記端末マイク端子と前記キャパシタとを断線させるようにパスを形成することを特徴とする、請求項１２に記載のイヤホン運用をサポートする端末機。
【請求項１５】
前記イヤホン接続インターフェースは、
前記端末マイク端子に連結されるイヤマイクバイアス電圧源、前記スイッチ素子を通じて前記端末マイク端子に連結される接地端またはキャパシタと、
前記イヤホン検出端子に連結されるプルアップ電圧及びプルアップ抵抗と、
前記イヤホン検出端子に連結される比較器と、
前記制御部と前記スイッチ素子の制御端子とを連結する信号ラインと、
をさらに含むことを特徴とする、請求項１１に記載のイヤホン運用をサポートする端末機。
【請求項１６】
前記制御部は、
前記イヤホン装置の挿入解除時、前記スイッチ素子を制御して、前記端末マイク端子と前記キャパシタとが断線され前記接地端が連結されるように制御することを特徴とする、請求項１５に記載のイヤホン運用をサポートする端末機。
【請求項１７】
前記制御部は、
前記比較器の出力変化によってイヤホン装置の挿入または挿入解除を確認し、前記イヤホン装置の挿入時、前記端末マイク端子と前記キャパシタとが連結されるように前記スイッチ素子を制御することを特徴とする、請求項１５に記載のイヤホン運用をサポートする端末機。
【請求項１８】
前記イヤホン検出端子は、
前記端末左側端子が配置された位置より溝底部に一定距離以前の位置に配置されることを特徴とする、請求項１１に記載のイヤホン運用をサポートする端末機。
【請求項１９】
前記イヤホン接続インターフェースは、
イヤホンプラグを前記端末接地端子と前記端末マイク端子との間に配置して挿入する時、前記イヤホンプラグのイヤホン接地端子との接触に従う電気的変化を感知するための端末接地検出端子をさらに含み、
前記スイッチ素子は、
端末接地検出端子で発生する電気的変化によって動作することを特徴とする、請求項１１に記載のイヤホン運用をサポートする端末機。
【請求項２０】
前記イヤホン接続インターフェースは、
前記イヤホン検出端子と連結される比較器の出力端と、前記端末接地検出端子の出力端を入力とし、出力が前記スイッチ素子の制御端子に供給されるＯＲゲートとをさらに含むことを特徴とする、請求項１９に記載のイヤホン運用をサポートする端末機。
【請求項２１】
イヤホン接続インターフェースにイヤホン装置が挿入される場合、前記イヤホン接続インターフェースに配置された端末マイク端子とキャパシタとを連結するように制御するスイッチ素子を制御するステップと、
前記イヤホン接続インターフェースに前記イヤホン装置が挿入解除される場合、前記端末マイク端子と前記キャパシタとを断線または接地させるように前記スイッチ素子を制御するスイッチ素子制御ステップと、
を含むことを特徴とする、端末機の運用方法。
【請求項２２】
前記スイッチ素子に前記キャパシタと並列に連結される接地端をさらに含むイヤホン接続インターフェースを設けて、
前記スイッチ素子制御ステップは、
前記イヤホン接続インターフェースにイヤホン装置が挿入される場合、前記端末マイク端子と前記接地端とを連結解除し、前記イヤホン装置が挿入解除される場合、前記端末マイク端子と前記接地端とを連結するように制御するステップであることを特徴とする、請求項２１に記載の端末機の運用方法。
【請求項２３】
前記スイッチ素子制御ステップは、
前記イヤホン装置の挿入によって前記イヤホン接続インターフェースに配置されるイヤホン装置の挿入を検出するイヤホン検出端子の出力、前記イヤホン検出端子と連結された比較器の出力、前記イヤホン装置の挿入によって電気的変化を有する端末接地検出端子の出力のうち、少なくとも１つによってスイッチ素子の状態を切り換えるステップであることを特徴とする、請求項２１に記載の端末機の運用方法。
【請求項２４】
溝の内壁に配置される端末左側端子、端末右側端子、端末接地端子、イヤホン検出端子、及び端末マイク端子と、
前記端末マイク端子と連結されるスイッチ素子と、
前記スイッチ素子を通じて端末マイク端子に連結される接地端及びイヤマイクバイアス電圧源のうちの少なくとも１つと、
前記イヤホン検出端子の出力及び前記イヤホン検出端子と連結される比較器の出力のうちの少なくとも１つを前記スイッチ素子の制御端子に伝達する信号ラインと、
を含むことを特徴とする、イヤホン接続インターフェース。
【請求項２５】
前記スイッチ素子は、
前記イヤホン検出端子の出力変化によって前記端末マイク端子と前記接地端とを連結させるようにパスを形成するか、前記端末マイク端子と前記接地端とを断線させるようにパスを形成することを特徴とする、請求項２４に記載のイヤホン接続インターフェース。
【請求項２６】
イヤホンプラグの挿入時、前記イヤホンプラグとの接触に従う電気的変化を感知するための端末接地検出端子と、
前記イヤホン検出端子と連結される比較器の出力端と、前記端末接地検出端子の出力端を入力とし、出力が前記スイッチ素子の制御端子に供給されるＯＲゲートのうち、少なくとも１つをさらに含み、
前記スイッチ素子は、
端末接地検出端子の出力及び前記ＯＲゲートの出力のうち、少なくとも１つによって前記端末マイク端子を接地させることを特徴とする、請求項２５に記載のイヤホン接続インターフェース。
【請求項２７】
溝の内壁に配置される端末左側端子、端末右側端子、端末接地端子、イヤホン検出端子、及び端末マイク端子、前記端末マイク端子に連結されて前記端末マイク端子を含むイヤホン接続インターフェースと、
前記イヤホン接続インターフェースに挿入されたイヤホン装置の挿入解除時、前記端末マイク端子を接地させるように制御する制御部と、
を含むことを特徴とする、イヤホン運用をサポートする端末機。
【請求項２８】
イヤホン接続インターフェースに挿入されたイヤホン装置の挿入解除を感知するステップと、
前記イヤホン接続インターフェースに設けられた端末マイク端子を接地させるように制御する制御ステップと、
を含むことを特徴とする、端末機の運用方法。
【請求項２９】
前記制御ステップは、
前記イヤホン装置の挿入によって前記イヤホン接続インターフェースに配置されるイヤホン装置の挿入を検出するイヤホン検出端子の出力、前記イヤホン検出端子と連結された比較器の出力、前記イヤホン装置の挿入によって電気的変化を有する端末接地検出端子の出力のうちの少なくとも１つによって前記端末マイク端子と接地端とを連結するようにスイッチ素子を制御するステップであることを特徴とする、請求項２８に記載の端末機の運用方法。
【発明の詳細な説明】
【技術分野】
【０００１】
本発明はイヤホン装置の運用に関し、特にイヤホン装置をイヤホン接続インターフェースから解放する過程で発生するチックノイズを除去できるイヤホン接続インターフェース及びこれを含む端末機と端末機運用方法に関する。
【背景技術】
【０００２】
最近、携帯端末機は移動性を基盤に幅広い使用がなされている。特に、携帯端末機のうち、移動しながら音声通話が可能な移動通信端末機は、国民の大多数が使用している程度にその人気が非常に高い携帯端末機である。一方、移動通信端末機は話者間の通話情報を送受信する機能を主要機能としながらも他の多様な機能を有することができる。例えば、従来の携帯端末機はファイル再生機能に対応するＭＰ３機能を有することもあり、映像が収集できるディジタルカメラに対応する映像収集機能を有することもある。また、従来の携帯端末機の場合、モバイルゲームやアーケードゲームなどを実行できる機能などをサポートしている。
【０００３】
一方、従来の携帯端末機はオーディオ出力過程で他人を邪魔しないようにするために、または、オーディオの視聴を一人で楽しむためにイヤホンシステムを提供している。これによって、ユーザはイヤホン装置を用いて時間及び場所に関わらず音楽の視聴や放送の視聴などを実行することができる。ここで、従来のイヤホンシステムはイヤホン装置のヘッドが円筒形のホール形状に設けられた端末機のイヤホン接続インターフェースに挿入されることによって、端末機がイヤホンの接続を感知するシステムを採用している。特に、従来のイヤホンシステムは４極イヤホン装置のマイクをサポートするために端末機のイヤホン接続インターフェースにマイク端子を設けて、マイク端子に一定バイアス電圧を提供して接続された４極イヤホン装置のマイク運用をサポートしている。
【０００４】
ところが、マイク運用のためにサポートされるバイアス電圧は、イヤホン装置を解放する過程の中でイヤホン接続インターフェースのマイク端子に供給されるか、または供給されたバイアス電圧が維持されるため、イヤホン装置にチックノイズを提供するようになる。特に、イヤホン装置のプラグに形成されるイヤホン左側端子及びイヤホン右側端子がイヤホン接続インターフェースから離脱しながらマイク端子と接触するため、バイアス電圧がイヤホン左側端子及びイヤホン右側端子に順次に誘導されて結果的にイヤホン出力部にノイズとして出力される。このようなチックノイズは人が嫌う形態の騷音として提供されるため、多くのユーザがイヤホン装置の解放において不便性を訴えている。
【発明の概要】
【発明が解決しようとする課題】
【０００５】
本発明の目的は、前述したような従来技術の問題点を解決するためのものであって、イヤホン装置がイヤホン接続インターフェースから離脱してもチックノイズが発生しないようにサポートするイヤホン接続インターフェース及び端末機運用方法と、これを含む端末機を提供することにある。
【課題を解決するための手段】
【０００６】
上記の目的を達成するための本発明は、溝の内壁に配置される端末左側端子、端末右側端子、端末接地端子、イヤホン検出端子、及び端末マイク端子、上記端末マイク端子に連結されるイヤマイクバイアス電圧源、スイッチ素子を通じて上記端末マイク端子に連結されるキャパシタを含むことを特徴とする、イヤホン接続インターフェースの構成を開示する。
【０００７】
また、本発明は溝の内壁に配置される端末左側端子、端末右側端子、端末接地端子、イヤホン検出端子、及び端末マイク端子、上記端末マイク端子に連結されるイヤマイクバイアス電圧源、スイッチ素子を通じて上記端末マイク端子に連結される接地端またはキャパシタを含むイヤホン接続インターフェース、上記イヤホン接続インターフェースにイヤホン装置が挿入される場合には、挿入されたイヤホン装置のイヤホン機能のサポートを制御し、上記イヤホン装置の挿入解除時には、上記イヤホン装置のイヤホン機能のサポートを中止するように制御する制御部を含むことを特徴とする、イヤホン運用をサポートする端末機の構成を開示する。
【０００８】
また、本発明はイヤホン接続インターフェースにイヤホン装置が挿入される場合には、上記イヤホン接続インターフェースに配置された端末マイク端子とキャパシタとを連結するように制御するスイッチ素子を制御するステップ、及び上記イヤホン接続インターフェースに上記イヤホン装置が挿入解除される場合には、上記端末マイク端子と上記キャパシタとを断線または接地させるように上記スイッチ素子を制御するスイッチ素子制御ステップを含むことを特徴とする、端末機の運用方法の構成を開示する。
【発明の効果】
【０００９】
本発明に従うイヤホン接続インターフェース及びこれを含む端末機と端末機運用方法によれば、本発明はイヤホン接続インターフェースからイヤホン装置が解除されても特別なチックノイズが発生しないようにして騷音による不便な使用を抑制することができる。
【図面の簡単な説明】
【００１０】
【図１】本発明の実施形態に従うイヤホン運用システムの構成を概略的に示す図である。
【図２】本発明のイヤホン接続インターフェースにイヤホンプラグが挿入された状態を示す図である。
【図３】本発明のイヤホン接続インターフェースにイヤホンプラグが挿入解除された状態を概略的に示す図である。
【図４】本発明のイヤホン接続インターフェースにイヤホンプラグが挿入解除された状態を概略的に示す図である。
【図５】本発明の実施形態に従うイヤホン接続インターフェースの形態を説明するための図である。
【図６】図５のイヤホン接続インターフェースにイヤホンプラグが挿入された形態を示す図である。
【図７】多様な形態のイヤホン接続インターフェースでのポップノイズ発生を説明するための図である。
【図８】スイッチ素子適用に従うノイズ検出を説明するための図である。
【図９】本発明の実施形態に従う端末機運用方法を説明するための図である。
【図１０】本発明の端末機構成をより詳細に示すブロック図である。
【図１１】本発明の適用事例に従うノイズ除去を測定した図である。
【図１２】スイッチ素子の制御のための遅延発生を説明するための図である。
【発明を実施するための形態】
【００１１】
以下、本発明の実施形態を添付した図面に基づいて詳細に説明する。
【００１２】
実施形態を説明するにあたって、本発明が属する技術分野においてよく知られており、本発明と直接的に関連のない技術内容については説明を省略する。また、実質的に同一な構成と機能を有する構成要素については詳細な説明を省略する。
【００１３】
同様の理由により添付図面において一部の構成要素は誇張、省略、または概略的に図示され、各構成要素のサイズは実際のサイズを全面的に反映するものでない。したがって、本発明は添付した図面に図示した相対的なサイズや間隔により制限されるものではない。
【００１４】
図１は本発明の実施形態に従うイヤホン運用システム１０の構成を概略的に示す図であり、図２は本発明の実施形態に従うイヤホン運用システム１０の構成のうち、イヤホン接続インターフェース１７０にイヤホン装置２００が挿入された状態を詳細に示す図である。
【００１５】
図１及び図２を参照すると、本発明のイヤホン運用システム１０は、端末機１００及びイヤホン装置２００を含んで構成できる。
【００１６】
このような構成を含む本発明のイヤホン運用システム１０は、イヤホン装置２００のイヤホンプラグ２１０が端末機１００のイヤホン接続インターフェース１７０に挿入される場合、端末機１００の制御部１６０は挿入されたイヤホンプラグ２１０を認識してイヤホン機能をサポートすることができる。この際、端末機１００は挿入されたイヤホン装置２００が４極イヤホン装置の場合、イヤホン装置２００のマイク機能サポートのためにイヤマイクバイアス電圧源（Ear_Mic_Bias）の電圧をイヤホン接続インターフェース１７０を通じてイヤホン装置２００に提供することができる。一方、端末機１００はイヤホン装置２００がイヤホン接続インターフェース１７０から解除される場合、イヤマイクバイアス電圧源（Ear_Mic_Bias）の電圧が提供される端末マイク端子１７１を接地させることによって、イヤホン装置２００の解放過程でイヤホン左側端子２１４及びイヤホン右側端子２１３が端末マイク端子１７１と接触してもチックノイズが発生しないようにサポートすることができる。
【００１７】
イヤホン装置２００は、図示したように、円筒の柱形状のイヤホンプラグ２１０、イヤホンプラグ２１０に連結された信号ライン及び信号ラインの端部に配置されたイヤホン出力部２３０、２４０、及びイヤマイク２２０を含む。イヤホン出力部２３０、２４０は、イヤホン左側出力部２４０及びイヤホン右側出力部２３０を含むことができる。このようなイヤホン装置２００は、マイクをサポートするか否かによって３極及び４極に区分できる。本発明では、４極イヤホン装置を基準に説明することにする。４極イヤホン装置２００は、図示したように、４個の端子を有することができる。即ち、イヤホン装置２００は、イヤホン左側端子２１４、イヤホン右側端子２１３、イヤホン接地端子２１２、及びイヤホンマイク端子２１１を含むイヤホンプラグ２１０を有することができる。このような構造の本発明のイヤホン装置２００は、イヤホンプラグ２１０の先端部分にイヤホン左側端子２１４が配置され、順次にイヤホン右側端子２１３、イヤホン接地端子２１２、及びイヤホンマイク端子２１１が配置できる。または、イヤホン装置２００はイヤホンプラグ２１０の先端部分にイヤホン左側端子２１４が配置され、順次にイヤホン右側端子２１３、イヤホンマイク端子２１１、及びイヤホン接地端子２１２が配置できる。イヤホン装置２００の各端子の間には端子を絶縁する絶縁層を設けることができる。前述した構造のイヤホン装置２００は、円筒形の溝形態に設けられるイヤホン接続インターフェース１７０の入口部にイヤホン左側端子２１４から挿入され、挿入解除時、イヤホン左側端子２１４が最後に入口部から離脱できる。
【００１８】
端末機１００は、図示したように、側面の一側に、または設計者の意図に従う特定の位置にイヤホン装置２００のイヤホンプラグ２１０が挿入できるイヤホン接続インターフェース１７０を設けて、イヤホン装置２００の挿入によってイヤホン機能をサポートする。イヤホン機能サポート時、端末機１００は設計方式によって端末機１００に設けられたスピーカー機能をターンオフし、端末機１００で発生したオーディオ信号をイヤホン装置２００を通じて出力されるようにオーディオ信号パスを切り換えるようにサポートすることができる。また、イヤホン機能サポート時、端末機１００は接続されるイヤホン装置２００の極数によって端末機のマイク機能をターンオフし、イヤホン装置２００のマイク機能をサポートすることができる。ここで、端末機１００はマイクモジュールが除外された３極イヤホン装置が挿入されれば、端末機１００のマイク機能を活性化されるユーザ機能によって選択的に運用することができる。この際、端末機１００はイヤマイク２２０を含むイヤホン装置２００が挿入されれば、イヤマイク２２０運用のためにイヤマイクバイアス電圧源（Ear_Mic_Bias）の電圧をイヤホン装置２００に提供する。そして、端末機１００はイヤマイク２２０を含まないイヤホン装置が挿入されれば、イヤマイクバイアス電圧源の電圧供給を中止するように制御することができる。
【００１９】
一方、本発明のイヤホン接続インターフェース１７０にイヤホンプラグ２１０が挿入されれば、図２に示すような状態になることができる。これをより詳細に説明すると、イヤホンプラグ２１０のイヤホン左側端子２１４、イヤホン右側端子２１３、イヤホン接地端子２１２、イヤホンマイク端子２１１は、各々イヤホン接続インターフェース１７０の端末左側端子１７４、端末右側端子１７３、端末接地端子１７２、及び端末マイク端子１７１に連結できる。端末左側端子１７４は制御部１６０の端末左側ポート（Ear_Left）に連結され、端末右側端子１７３は制御部１６０の端末右側ポート（Ear_Right）に連結できる。端末マイク端子１７１は、制御部１６０のEar_ADCポートに連結され、またはイヤマイクバイアス電圧源（Ear_Mic_Bias）が連結できる。
【００２０】
また、イヤホンプラグ２１０のイヤホン左側端子２１４は、イヤホン接続インターフェース１７０に設けられたイヤホン検出端子１７５に電気的に接続される。ここで、イヤホン検出端子１７５は比較器Ｃｏｍと連結されることができ、この比較器Ｃｏｍは制御部１６０に連結されるか、またはＧＰＩＯポートを介して制御部１６０に連結できる。比較器Ｃｏｍには基準電圧（Ref）を提供できる。これによって、端末機１００の制御部１６０は比較器Ｃｏｍの出力変化、即ちイヤホン検出端子１７５の電気的変化を検出してイヤホン装置２００が接続されたか否かを判断することができる。イヤホン検出端子１７５は、イヤホン装置２００の接続に従う電気的変化を検出するためにプルアップ電圧（Ｖｄｄ）及びプルアップ抵抗（Ｒ）を含む回路を連結できる。即ち、イヤホン検出端子１７５にはプルアップ電圧（Ｖｄｄ）がプルアップ抵抗（Ｒ）を通じて提供されて一定電位を維持してから、イヤホン装置２００の挿入によってイヤホン左側端子２１４が接触されることによって電気的変化が発生しうる。イヤホン検出端子１７５は、このような電気的変化を端末機１００の制御部１６０に伝達することによって、イヤホン装置２００の挿入を知らせることができる。
【００２１】
一方、イヤホン装置２００がイヤホン接続インターフェース１７０から離脱する場合、イヤホン装置２００のイヤホン左側端子２１４はイヤホン検出端子１７５と電気的に接触解除できる。すると、イヤホン検出端子１７５に提供されるプルアップ電圧が比較器Ｃｏｍの入力に伝達されて、結果的に比較器Ｃｏｍの出力変化を通じて端末機１００の制御部１６０は、イヤホン装置２００の解除を認識することができる。
【００２２】
端末マイク端子１７１は、制御部１６０に連結されてイヤホン装置２００のイヤマイク２２０の運用のためのイヤマイクバイアス電圧源の電圧をイヤホン装置２００に伝達することができる。端末マイク端子１７１にはイヤマイク２２０を含むイヤホン装置２００から伝えられるキー割り込み信号を伝達するための回路、端末マイク端子１７１に伝えられる信号の変化をディジタルに変換して制御部１６０に伝達するための回路などを連結できる。特に、本発明の端末マイク端子１７１には、スイッチ素子１７７、キャパシタＣ、及びチューニング抵抗（ＲＴ）を含む回路を連結できる。ここで、チューニング抵抗（ＲＴ）は設計者の意図によって省略することもできる。または、端末マイク端子１７１にスイッチ素子１７７とキャパシタＣのみ連結することもできる。
【００２３】
スイッチ素子１７７は、端末機１００の制御部１６０により制御されるか、イヤホン検出端子１７５または比較器Ｃｏｍの出力端に連結されてイヤホン検出端子１７５で形成される電圧または比較器Ｃｏｍの出力によってターンオンまたはターンオフされるように設計できる。このために、スイッチ素子１７７の制御端子及び制御部１６０の間にスイッチ素子１７７の制御のための信号ラインをさらに形成できる。または、スイッチ素子１７７の制御端子及び比較器Ｃｏｍの出力端の間にスイッチ素子１７７の制御のための信号ラインをさらに形成できる。
【００２４】
スイッチ素子１７７は、４極イヤホン装置２００がイヤホン接続インターフェース１７０に接続された状態ではキャパシタＣと端末マイク端子１７１とが連結されるようにサポートすることができる。この際、キャパシタＣはイヤホン装置２００のイヤマイク２２０から端末マイク端子１７１に伝えられる信号のノイズを除去する役割を遂行することができる。このようなキャパシタＣは、イヤマイクバイアス電圧源（Ear_Mic_Bias）の電圧が端末マイク端子１７１に提供される間、一定の電荷量を充電することができる。イヤマイクバイアス電圧源（Ear_Mic_Bias）と端末マイク端子１７１との間には電源供給の安定性のためにバイアス抵抗（ＲＢ）を連結できる。
【００２５】
一方、スイッチ素子１７７はイヤホン装置２００がイヤホン接続インターフェース１７０から離脱する間には端末マイク端子１７１がチューニング抵抗（ＲＴ）及び接地端に連結されるようにスイッチングすることができる。これによって、端末マイク端子１７１はイヤホン装置２００がイヤホン接続インターフェース１７０から離脱する間に接地電位状態を有することができる。結果的に、接地電位状態の端末マイク端子１７１がイヤホン右側端子２１３及びイヤホン左側端子２１４と順次に接触するため、イヤホン右側端子２１３及びイヤホン左側端子２１４に誘導される電圧が発生しない。これによって、イヤホン装置２００にはチックノイズが発生しない。
【００２６】
前述したように、本発明の実施形態に従うイヤホン運用システム１０はイヤホン装置２００がイヤホン接続インターフェース１７０から解除される間、端末マイク端子１７１を接地電位に切り換えるように制御することによって、イヤホン装置２００に誘導される電荷を除去して、当該誘導電荷により発生するチックノイズを根本的に除去することができる。以下、イヤホン装置２００のイヤホン接続インターフェース１７０の接続解除状態に対して他の図面を通じてより詳細に説明する。
【００２７】
図３及び図４は、本発明の実施形態に従うイヤホン装置２００がイヤホン接続インターフェース１７０から挿入状態から離脱する状況をより詳細に説明するための図である。
【００２８】
図３及び図４を参照すると、イヤホン接続インターフェース１７０を、イヤホンプラグ２１０が挿入できる形状に対応する形態、例えば、円筒形の溝形状に設けることができる。このようなイヤホン接続インターフェース１７０には、前述したように、溝底端にイヤホン検出端子１７５及び端末左側端子１７４が配置される。そして、端末左側端子１７４と一定間隔離隔した位置に端末右側端子１７３、端末接地端子１７２、及び端末マイク端子１７１を各々配置できる。イヤホンプラグ２１０がイヤホン接続インターフェース１７０の溝底端まで挿入されれば、イヤホンプラグ２１０の先端に配置されたイヤホン左側端子２１４は溝底端に配置された端末左側端子１７４とイヤホン検出端子１７５に接触できる。ここで、イヤホン検出端子１７５にはプルアップ電圧（Ｖｄｄ）がプルアップ抵抗（Ｒ）を通じて供給されるため、このプルアップ電圧（Ｖｄｄ）をイヤホン装置２００の挿入によって電圧降下させることができる。即ち、イヤホン装置２００のイヤホン左側端子２１４とイヤホン検出端子１７５とが接続されれば、イヤホン検出端子１７５に提供されるプルアップ電圧（Ｖｄｄ）はイヤホン検出端子１７５、イヤホン左側端子２１４を通じてイヤホン左側出力部２４０に流れるようになり、イヤホン左側出力部２４０の固有抵抗によって電圧降下が発生するようになる。結果的に、イヤホン検出端子１７５に形成された電圧がプルアップ電圧から一定電圧に電圧降下すれば、この電圧降下した電圧はイヤホン検出端子１７５と制御部１６０との間に配置された比較器Ｃｏｍの入力電圧で伝達できる。比較器Ｃｏｍは、入力電圧がプルアップ電圧（Ｖｄｄ）から一定電圧に電圧降下する場合、以前に出力された出力信号と異なる出力信号を出力するようになる。例えば、比較器Ｃｏｍが以前にハイ（High）信号を出力した場合、イヤホン装置２００の挿入によってイヤホンプラグ２１０のイヤホン左側端子２１４がイヤホン検出端子１７５に連結された場合に、イヤホン左側端子２１４はロー（Low）信号を端末機１００の制御部１６０に伝達することができる。結果的に、端末機１００の制御部１６０はイヤホン検出端子１７５の電気的変化を感知してイヤホン装置２００を挿入するか否かを決定することができる。
【００２９】
イヤホン装置２００が挿入されたとみなされれば、端末機１００の制御部１６０はオーディオ信号パスを切り換えることができる。即ち、端末機１００の制御部１６０は端末機１００のオーディオ処理部に設けられたスピーカーとマイクを含むオーディオ信号パスを遮断し、イヤホン接続インターフェース１７０に連結されたイヤホン装置のイヤホン出力部２３０、２４０及びイヤマイク２２０を含むオーディオ信号パスを形成するように制御することができる。即ち、端末機１００の制御部１６０は、端末左側端子１７４、イヤホン左側端子２１４、及びイヤホン左側出力部２４０を含むオーディオ信号パスと、端末右側端子１７３、イヤホン右側端子２１３、及びイヤホン右側出力部２３０を含むオーディオ信号パスとを形成して、オーディオ信号出力をサポートすることができる。
【００３０】
一方、端末機１００の制御部１６０は、イヤホン検出端子１７５の電気的変化が発生すれば、イヤマイクバイアス電圧源（Ear_Mic_Bias）の電圧を端末マイク端子１７１に供給することができる。ここで、端末マイク端子１７１と接触する部位が接地端子で形成された３極イヤホンが接続される場合、端末機１００の制御部１６０は端末マイク端子１７１の電圧変化を感知して３極イヤホンが接続されたことを確認することができる。この場合、端末機１００の制御部１６０は端末マイク端子１７１にイヤマイクバイアス電圧源（Ear_Mic_Bias）の電圧が供給されないように制御することができる。これと共に端末機１００の制御部１６０は端末機１００のオーディオ処理部に含まれたマイクを現在活性化されているユーザ機能によって選択的に運用するように制御することができる。
【００３１】
端末機１００の制御部１６０は、イヤマイクバイアス電圧源（Ear_Mic_Bias）の電圧を端末マイク端子１７１に供給して４極イヤホン装置２００の接続による一定電圧降下を感知すれば、４極イヤホン装置２００が接続されたと判断し、イヤマイクバイアス電圧源（Ear_Mic_Bias）の電圧を端末マイク端子１７１に持続的に供給されるように制御することができる。イヤマイクバイアス電圧源（Ear_Mic_Bias）の電圧は端末マイク端子１７１及びイヤホンマイク端子２１１を経てイヤマイク２２０に供給できる。イヤマイク２２０に供給されたイヤマイクバイアス電圧源（Ear_Mic_Bias）の電圧はイヤマイク２２０の運用のためのエネルギーに利用できる。
【００３２】
イヤマイクバイアス電圧源（Ear_Mic_Bias）の電圧が端末マイク端子１７１に供給される過程で端末マイク端子１７１に連結されたキャパシタＣに一定電荷を充電できる。このために、端末機１００の制御部１６０はスイッチ素子１７７をキャパシタＣと端末マイク端子１７１とが連結されるように制御することができる。または、スイッチ素子１７７の制御端子、例えば、ゲート端子は前述したようにイヤホン検出端子１７５または比較器Ｃｏｍに連結できる。このために、イヤホン接続インターフェース１７０は比較器Ｃｏｍの出力端とスイッチ素子とを連結する信号ラインをさらに含むことができる。
【００３３】
これによって、イヤホン検出端子１７５または比較器Ｃｏｍから第１信号が提供される場合、該当信号はスイッチ素子１７７がキャパシタＣと端末マイク端子１７１とを連結するように制御する。イヤホン検出端子１７５または比較器Ｃｏｍに第２信号が提供される場合、第２信号はスイッチ素子１７７がキャパシタＣと端末マイク端子１７１を遮断し、端末マイク端子１７１が接地端と連結されるように制御することができる。ここで、イヤホン検出端子１７５または比較器Ｃｏｍが提供する第１信号はイヤホン装置２００の挿入によってプルアップ電圧（Ｖｄｄ）が一定電圧に電圧降下した電圧信号または該当電圧信号を入力電圧にする比較器Ｃｏｍの出力信号に該当することができる。また、イヤホン検出端子１７５または比較器Ｃｏｍが提供する第２信号は、挿入されたイヤホン装置２００の離脱によってプルアップ電圧（Ｖｄｄ）がイヤホン検出端子１７５に供給される信号または該当信号を入力信号にする比較器Ｃｏｍの出力信号に該当することができる。一方、本発明のイヤホン接続インターフェース１７０を含む端末機１００は、制御部１６０の制御によってスイッチ素子１７７の状態変化を制御することもできる。
【００３４】
イヤホン装置２００のイヤホンプラグ２１０がイヤホン接続インターフェース１７０から離脱した場合、イヤホン左側端子２１４はイヤホン検出端子１７５及びイヤホン左側端子２１４に電気的に、そして物理的に接触解除できる。ここで、イヤホン左側端子２１４の移動によってイヤホン検出端子１７５と接触解除されれば、前述したようにイヤホン検出端子１７５に電圧降下しないプルアップ電圧（Ｖｄｄ）が提供され、このプルアップ電圧（Ｖｄｄ）は比較器Ｃｏｍの入力電圧に提供され、結果的に比較器Ｃｏｍの出力変化によって端末機１００の制御部１６０は、イヤホン装置２００がイヤホン接続インターフェース１７０から離脱したと確認することができる。すると、端末機１００の制御部１６０は、キャパシタＣと端末マイク端子１７１との間に配置されたスイッチ素子１７７を制御してキャパシタＣが端末マイク端子１７１と断線されるように制御することができる。これと共に、スイッチ素子１７７は、端末マイク端子１７１がチューニング抵抗（ＲＴ）を通じて接地端に接続されるようにサポートする。
【００３５】
イヤホンプラグ２１０は、イヤホン接続インターフェース１７０の溝底端から入口部側に移動することによって、イヤホン右側端子２１３が端末マイク端子１７１に接触し、イヤホン左側端子２１４は端末接地端子１７２に接触する。まず、端末接地端子１７２に接触したイヤホン左側端子２１４には伝えられる信号が実質的にないため、イヤホン左側出力部２４０には特別なノイズが発生しない。また、イヤホン右側端子２１３はやはり端末マイク端子１７１、スイッチ素子１７７、チューニング抵抗（ＲＴ）を通じて接地端に連結されるため、イヤホン右側端子２１３に連結されたイヤホン右側出力部２３０に特別な信号伝達が発生せず、やはりノイズが発生しない。スイッチ素子１７７がない場合、即ち、キャパシタＣが端末マイク端子１７１に固定的に連結される構造では、イヤホン検出端子１７５でイヤホン装置２００の挿入解除を認識し、イヤマイクバイアス電圧源（Ear_Mic_Bias）の電圧を遮断してもキャパシタＣに格納された電源が放電されず、一定時間待機しているので、イヤホンプラグ２１０がイヤホン接続インターフェース１７０から離脱する間、端末マイク端子１７１を通じてイヤホン右側端子２１３及びイヤホン左側端子２１４に順次に接触する。この際、キャパシタＣに格納された電源が端末マイク端子１７１を通じてイヤホン右側端子２１３及びイヤホン左側端子２１４に伝えられるため、結果的にイヤホン左側出力部２４０及びイヤホン右側出力部２３０にノイズに該当する電源が供給される。
【００３６】
本発明のイヤホン接続インターフェース１７０は、キャパシタＣの放電時間に関わらず、イヤホン装置２００がイヤホン接続インターフェース１７０から解除される瞬間、キャパシタＣと端末マイク端子１７１との間の断線状態が形成されるようにサポートする。結果的に、イヤホン右側端子２１３及びイヤホン左側端子２１４が端末マイク端子１７１に接触してもキャパシタＣに格納された電源の誘導が発生しないので、イヤホン出力部２３０、２４０にノイズが発生しないように制御することができる。
【００３７】
一方、前述した説明ではスイッチ素子１７７を制御してイヤホン装置２００がイヤホン接続インターフェース１７０から解除される過程で端末マイク端子１７１をチューニング抵抗（ＲＴ）を通じて接地端に連結されるように制御することを説明したが、本発明はこれに限定されるものではない。即ち、上記チューニング抵抗（ＲＴ）は設計者の意図によって除去されることができ、これによって、端末マイク端子１７１をスイッチ素子１７７の制御によって直接的に接地端に連結することもできる。また、端末マイク端子１７１は別途の接地端連結無しでフローティング状態を有することもできる。即ち、前述したチューニング抵抗（ＲＴ）及び接地端の構成を排除し、端末マイク端子１７１とキャパシタＣとの間にスイッチ素子１７７のみ配置することができ、スイッチ素子１７７は比較器Ｃｏｍの出力、または制御部１６０の制御によって端末マイク端子１７１をキャパシタＣと連結するか、連結解除するようにサポートすることができる。
【００３８】
前述したように、本発明の実施形態に従うイヤホン接続インターフェース１７０を有する端末機１００は、イヤホン装置２００が接続される過程ではキャパシタＣが端末マイク端子１７１に連結されるように制御し、イヤホン装置２００が解除される過程ではキャパシタＣが端末マイク端子１７１と断線されるように制御することによって、端末マイク端子１７１とイヤホンプラグ２１０との間の接触により発生するチックノイズを除去するとともに、イヤホン装置２００のイヤマイク２２０を正常に動作するように制御することができる。
【００３９】
前述したように、本発明の実施形態に従うイヤホン接続インターフェース１７０は、端末マイク端子１７１にスイッチ素子１７７を連結し、端末マイク端子１７１の電位を選択的に変化するように制御することができる。特に、本発明のイヤホン接続インターフェース１７０は、端末マイク端子１７１の電位が選択的に接地電位になるように制御することによって、端末マイク端子１７１にイヤホン右側端子またはイヤホン左側端子が接触しても端末マイク端子１７１の接触に従うチックノイズが発生しないように制御することができる。
【００４０】
図５は本発明の他の実施形態に従うチックノイズ除去とともに、異物流入処理のための端末機１００のイヤホン接続インターフェース１７０を示す図であり、図６はイヤホン接続インターフェース１７０にイヤホンプラグ２１０が挿入された状態を示す図である。図７は本発明のチックノイズ除去が適用されたイヤホン接続インターフェース１７０の運用に従うノイズ除去を測定した結果を示す図であり、図８はスイッチ適用に従う結果を示す図である。
【００４１】
図５乃至図８を参照すると、本発明のイヤホン接続インターフェース１７０は、溝の内壁に端末マイク端子１７１、端末接地端子１７２、端末右側端子１７３、端末左側端子１７４が順次に配置され、端末接地端子１７２に隣接した領域に端末接地検出端子１７８が配置され、端末左側端子１７４の隣接した領域にイヤホン検出端子１７５が配置される。特に、本発明のイヤホン接続インターフェース１７０は、端末左側端子１７４とイヤホン検出端子１７５の配置位置が一定間隔離隔して配置されるが、イヤホン検出端子１７５が端末左側端子１７４に比べて溝底部方向に、より以前の位置に配置できる。即ち、イヤホン検出端子１７５と端末左側端子１７４は溝の深さを基準に一定距離（ｄ）離隔した位置に各々配置できる。ここで、一定距離（ｄ）は標準に定められたイヤホンプラグ２１０の形状を基準に、例えば、０．３ｍｍに設計できる。これによって、本発明のイヤホン接続インターフェース１７０は、イヤホンプラグ２１０がイヤホン接続インターフェース１７０から除去される過程でイヤホン検出端子１７５がイヤホン左側端子２１４に比べてイヤホンプラグ２１０の除去を位置的に先に検出するようになる。
【００４２】
また、端末接地検出端子１７８は、端末接地端子１７２に比べて溝の開口部方向側に、より以前の位置に配置できる。即ち、端末接地検出端子１７８は端末マイク端子１７１及び端末接地端子１７２の間に配置できる。ここで、端末接地検出端子１７８は、端末接地端子１７２を基準にイヤホン接続インターフェース１７０の溝開口部方向に０．３ｍｍ以前の位置に配置できる。これによって、イヤホンプラグ２１０がイヤホン接続インターフェース１７０から除去される過程で端末接地検出端子１７８が端末接地端子１７２に比べてイヤホン接地端子２１２から先に接触解除できる。
【００４３】
結果的に、イヤホン検出端子１７５がイヤホン左側端子２１４と接触解除される時点が端末左側端子１７４に比べて先に発生するようになり、また端末接地検出端子１７８がイヤホン接地端子２１２と接触解除する時点が端末接地端子１７２に比べて先に発生するようになる。これによって、本発明のイヤホン接続インターフェース１７０は、物理的に端末マイク端子１７１がイヤホンマイク端子２１１と接触解除されながらイヤホン接地端子２１２に接触する時点より先にイヤホン検出端子１７５がイヤホンプラグ２１０の脱去を感知することができる。前述した説明において、端末接地検出端子１７８が適用されないイヤホン接続インターフェース１７０でもイヤホン検出端子１７５は端末左側端子１７４より溝底部方向に一定間隔以前の位置に配置できる。
【００４４】
図７は、前述した本発明のイヤホン接続インターフェース１７０の形態に従うイヤホンプラグ２１０の接触重畳区間を示すものである。図７を参照すると、イヤホン検出端子１７５と端末左側端子１７４とが同一線上に整列される場合、そして端末接地検出端子１７８が端末接地端子１７２と同一線上に整列される場合、ポップノイズまたはチックノイズ発生がありえることを表している。また、端末接地検出端子１７８と端末接地端子１７２とが一定距離、例えば、０．３ｍｍ離隔した位置に配置されてもイヤホン検出端子１７５と端末左側端子１７４とが同一な位置に配置される場合、相変らずポップノイズ発生がありえることを表している。結果的に、ポップノイズまたはチックノイズ除去のために、図示したように、イヤホン検出端子１７５と端末左側端子１７４との間の一定間隔離隔及び端末接地検出端子１７８と端末接地端子１７２との間の一定間隔離隔した形態を有するイヤホン接続インターフェース１７０が必要であることが分かる。ここで、端末接地検出端子１７８が配置されるイヤホン接続インターフェース１７０を例示として説明したが、本発明はこれに限定されるものではない。即ち、本発明のイヤホン接続インターフェース１７０が端末接地検出端子１７８が配置されない構造を採用する場合、ノイズ除去のためにイヤホン検出端子１７５のみ端末左側端子１７４と一定間隔離隔した形態に配置できる。
【００４５】
一方、本発明のイヤホン接続インターフェース１７０はイヤホンプラグ２１０の除去感知に従う信号、即ち端末接地検出端子１７８の信号及びイヤホン検出端子１７５の信号が入力に提供される比較器Ｃｏｍの出力信号を入力で受信するＯＲゲート１７９が配置される。比較器Ｃｏｍはプルアップ電圧（Ｖｄｄ）及びプルアップ抵抗（Ｒ）が連結されたイヤホン検出端子１７５に形成される電位を第１入力電圧とし、事前に定義された一定基準電圧を第２入力電圧として提供される。ここで、第２入力電圧は、プルアップ電圧（Ｖｄｄ）を第１比較器抵抗（Ｒｃ１）及び第２比較器抵抗（Ｒｃ２）により電圧分配した値になることができる。第１比較器抵抗（Ｒｃ１）及び第２比較器抵抗（Ｒｃ２）は設計しようとする比較器Ｃｏｍの第２入力電圧サイズによって調整できる。
【００４６】
一方、ＯＲゲート１７９の出力は端末マイク端子１７１に配置されたスイッチ素子１７７の制御信号に供給される。したがって、イヤホンプラグ２１０がイヤホン接続インターフェース１７０から除去される過程でイヤホン検出端子１７５の信号及び端末接地検出端子１７８の信号のうち、少なくとも１つによってスイッチ素子１７７が動作する。スイッチ素子１７７は、端末マイク端子１７１に連結される信号ラインを接地端に連結されるようにパスを切り換えることができる。スイッチ素子１７７がＦＥＴ（Field Effect Transistor）で具現される場合、ＯＲゲート１７９の出力がスイッチ素子１７７のゲート端子に提供され、結局ＯＲゲート１７９の出力信号によってスイッチ素子１７７が動作することができる。例えば、イヤホンプラグ２１０がイヤホン接続インターフェース１７０から除去される過程に従う信号がＯＲゲート１７９から出力される場合、スイッチ素子１７７はキャパシタＣ及びイヤマイクバイアス電圧源（Ear_Mic_Bias）を端末マイク端子１７１と遮断させるようにサポートすることができる。また、イヤホンプラグ２１０が挿入される過程に従う信号がＯＲゲート１７９から出力される場合、スイッチ素子１７７はキャパシタＣ及びイヤマイクバイアス電圧源（Ear_Mic_Bias）を端末マイク端子１７１に連結されるようにサポートすることができる。前述したように、本発明のスイッチ素子１７７はキャパシタＣに充電された電源によるノイズ発生を除去するようにサポートし、またイヤマイクバイアス電圧源（Ear_Mic_Bias）により発生できるノイズ発生も抑制できるようにサポートする。イヤマイクバイアス電圧源（Ear_Mic_Bias）の電源供給がイヤホンプラグ２１０の除去過程で速かに遮断されるように設計される場合、イヤマイクバイアス電圧源（Ear_Mic_Bias）によるノイズが発生しないことがあるが、多様な機構的公差及び駆動公差、設計方式などによってイヤマイクバイアス電圧源（Ear_Mic_Bias）の制御過程でイヤホンプラグ２１０の除去時、イヤマイクバイアス電圧源（Ear_Mic_Bias）の電源供給が遮断されていない状態でイヤホンプラグ２１０の各端子と接触できる。これによって、本発明は、イヤマイクバイアス電圧源（Ear_Mic_Bias）がスイッチ素子１７７を通じて端末マイク端子１７１に連結されるようにし、スイッチ素子１７７の制御を遂行してイヤマイクバイアス電圧源（Ear_Mic_Bias）と端末マイク端子１７１との連結を遮断するようにすることで、イヤマイクバイアス電圧源（Ear_Mic_Bias）によるノイズ発生を抑制するようにサポートする。
【００４７】
端末マイク端子１７１のパス切換によって、端末マイク端子１７１は接地電位を有するようになり、イヤホンプラグ２１０が除去される過程で端末マイク端子１７１に接触しても端末マイク端子１７１の接続により発生するノイズ発生を抑制することができる。即ち、図８に示すように、本発明のイヤホン接続インターフェース１７０は、スイッチ素子１７７の配置及び動作によってキャパシタＣの充電電源放電時間を除去できるようにサポートする。
【００４８】
前述した端末接地検出端子１７８は、イヤホン接続インターフェース１７０に異物が流入した状態でも端末機１００の正常動作をサポートするために設けられたものである。即ち、異物がイヤホン接続インターフェース１７０に流入した場合、主にイヤホン接続インターフェース１７０の溝底端に異物を配置できる。この場合、異物はイヤホン検出端子１７５とイヤホン左側端子２１４とを電気的に連結するため、イヤホンプラグ２１０がイヤホン接続インターフェース１７０に挿入されていない状況であっても端末機１００はイヤホンプラグ２１０が接続した状態と誤認識することがある。これを防止するために、端末機１００はイヤホン接続インターフェース１７０の溝開口部方向側に端末接地検出端子１７８を配置し、端末接地検出端子１７８にプルアップ電圧（Ｖｄｄ）及び接地プルアップ抵抗（ＲＧ）を各々配置することができる。以後、異物が溝の内部の底端に挿入されてイヤホン検出端子１７５とイヤホン左側端子２１４とが電気的に連結されても、本発明の端末機１００は端末接地検出端子１７８の信号変化によって実際のイヤホンプラグ２１０の接続を確認することができるようにサポートする。
【００４９】
例えば、イヤホン検出端子１７５にイヤホンプラグ２１０が挿入された状態に対応する信号変化が発生しても、端末機１００は端末接地検出端子１７８の信号変化がない場合、異物が挿入された状態と判断し、それに対応してイヤホン機能サポートを抑制するように制御することができる。例えば、端末機１００はイヤホン装置２００のサポートのためのオーディオ信号パス切換を抑制し、端末機１００に配置されたスピーカーＳＰＫとマイクＭＩＣのうちの少なくとも１つを該当ユーザ機能によって運用するようにサポートすることができる。
【００５０】
そして、端末機１００は、イヤホン検出端子１７５の信号変化発生及び端末接地検出端子１７８の信号変化が発生すればイヤホンプラグ２１０の接続と判断し、それに対応してイヤホン機能サポートを遂行することができる。即ち、端末機１００はオーディオ信号パスをイヤホン装置２００の機能サポート形態に切り換えて、端末機１００で発生したオーディオ信号がイヤホン接続インターフェース１７０を通じてイヤホン装置２００に出力されるようにサポートし、接続されるイヤホン装置２００の種類によってマイク機能をイヤホン装置２００でサポートするようにオーディオ信号パス切換をサポートするか、端末機１００のマイクＭＩＣを用いるように制御することができる。
【００５１】
一方、前述した説明ではイヤホン検出端子１７５と端末左側端子１７４とが相互間の一定間隔離隔した形態に配置されるイヤホン接続インターフェース１７０に対して説明したが、本発明はこれに限定されるものではない。即ち、イヤホン検出端子１７５と端末左側端子１７４を、他の図面で提示したように、同一線上に整列配置されるように、または互いに対向するように、イヤホン接続インターフェース１７０の内壁に配置できる。この場合、端末接地検出端子１７８と端末接地端子１７２が一定間隔離隔した形態を維持するように、イヤホンインターフェース１７０を設けられることができる。
【００５２】
図９は、本発明の第１実施形態に従うチックノイズ除去のための端末機１００の運用方法を説明するための図である。
【００５３】
図９を参照すると、本発明の端末機１００の運用方法は、まず、ステップ５０１で、制御部１６０が供給された電源を用いて端末機１００の各構成に必要な電源を供給するようにサポートする。以後、制御部１６０はステップ５０３で、イヤホン装置２００の挿入に該当するイベントが発生するかを確認することができる。即ち、制御部１６０はイヤホン接続インターフェース１７０にイヤホン装置２００の挿入によってイヤホン検出端子１７５の電気的変化が発生するかを確認することができる。一方、発生したイベントがイヤホン装置２００の挿入に該当するイベントでない場合、制御部１６０はステップ５０５に分岐して該当機能の実行をサポートすることができる。例えば、制御部１６０は端末機１００の機能をサポートするか否かによって、通話機能、ファイル再生機能、ファイル検索機能、ファイル編集機能、ウェブ接続機能、放送受信機能、カメラ機能など、該当イベントに従う機能サポートを実行することができる。
【００５４】
一方、ステップ５０３で、イヤホン装置２００の挿入に該当するイベントが発生すれば、制御部１６０はステップ５０７に分岐してイヤホン機能サポートを遂行することができる。即ち、制御部１６０はイヤホン装置２００の種類、即ち３極または４極を確認し、４極イヤホン装置２００の挿入の場合、イヤホン装置２００のイヤマイク２２０の機能遂行、及びイヤホン出力部２３０、２４０のオーディオ信号出力をサポートするための信号処理及び電源供給を制御することができる。特に、制御部１６０はイヤマイク２２０の機能サポートのためにイヤホン接続インターフェース１７０に設けられた端末マイク端子１７１にイヤマイクバイアス電圧源（Ear_Mic_Bias）の電圧が供給されるように制御することができる。ここで、供給されたイヤマイクバイアス電圧源（Ear_Mic_Bias）の電圧は、端末マイク端子１７１に連結されたキャパシタＣにも供給できる。このために、制御部１６０はスイッチ素子１７７を制御して端末マイク端子１７１とキャパシタＣとが連結されるように制御することができる。ここで、スイッチ素子１７７の制御端子がイヤホン検出端子１７５または比較器Ｃｏｍの出力端に連結されることによって、イヤホン検出端子１７５に形成される電圧を制御信号に用いる場合、制御部１６０の別途制御無しでスイッチ素子１７７はイヤホン装置２００の挿入時、端末マイク端子１７１とキャパシタＣとが連結されるようにパスを形成することができる。
【００５５】
上記制御部１６０は、ステップ５０９でイヤホン装置２００の挿入解除か否かを確認する。ここで、イヤホン装置２００が挿入解除されない場合、ステップ５０７に分岐してイヤホン機能サポートを実行することができる。そして、ステップ５０９で、イヤホン装置２００が挿入解除される場合、制御部１６０はステップ５１１に分岐してパス切換を実行することができる。即ち、制御部１６０はスイッチ素子１７７を制御して端末マイク端子１７１とキャパシタＣとが断線されるように制御することができる。更に、制御部１６０はスイッチ素子１７７にキャパシタＣと並列に接地端が連結される場合、端末マイク端子１７１が接地端に連結されるように制御することができる。この過程で、設計過程でチューニング抵抗（ＲＴ）が追加配置された場合、端末マイク端子１７１はチューニング抵抗（ＲＴ）を通じて接地端に連結できる。一方、スイッチ素子１７７の制御端子がプルアップ電圧（Ｖｄｄ）がかかったイヤホン検出端子１７５またはイヤホン検出端子１７５と連結される比較器Ｃｏｍに連結される場合、スイッチ素子１７７は制御部１６０の制御無しでイヤホン検出端子１７５の電圧変化または比較器Ｃｏｍの出力によってキャパシタＣと端末マイク端子１７１とを断線または連結するように制御することができる。即ち、イヤホン検出端子１７５の電圧がプルアップ電圧（Ｖｄｄ）が形成されることによって比較器Ｃｏｍの出力信号が第１出力信号、例えばハイ（High）信号の場合、スイッチ素子１７７はキャパシタＣと端末マイク端子１７１との間を断線するように動作することができる。そして、イヤホン装置２００の挿入によってイヤホン検出端子１７５にプルアップ電圧（Ｖｄｄ）より低い電圧が形成されて比較器Ｃｏｍの出力信号が第２出力信号、例えばロー（Low）信号の場合、スイッチ素子１７７はキャパシタＣと端末マイク端子１７１との間が連結されるように動作することができる。ここで、比較器Ｃｏｍの出力及びスイッチ素子１７７の状態変更は設計者の意図によって変わるように設計されることもできる。即ち、比較器Ｃｏｍの出力がハイ（High）の場合、スイッチ素子１７７が端末マイク端子１７１とキャパシタＣとを連結するように動作し、ロー（Low）の場合、スイッチ素子１７７が端末マイク端子１７１とキャパシタＣとを断線するように動作することもできる。
【００５６】
次に、制御部１６０はステップ５１３で、端末機１００の終了のためのイベントが発生したか否かを確認し、終了のためのイベント発生がない場合、ステップ５０３の以前に分岐して、以下の過程を再実行するようにサポートすることができる。
【００５７】
一方、前述した説明で、チックノイズの除去のための端末機運用は、端末接地検出端子１７８が適用されないイヤホン接続インターフェース１７０を含む端末機１００の運用を表したものである。端末接地検出端子１７８が適用されるイヤホン接続インターフェース１７０の場合には、イヤホン検出端子１７５で発生するイヤホンプラグ２１０の接続及び除去に従う信号変化だけでなく、端末接地検出端子１７８で発生する信号変化も共に検出してノイズ除去のための端末機１００の運用に用いることができる。
【００５８】
より詳しく説明すると、前述したイヤホン装置２００の挿入に該当するイベントが発生するかを確認するステップ５０３で、制御部１６０はイヤホン接続インターフェース１７０にイヤホン装置２００の挿入によってイヤホン検出端子１７５の電気的な変化と共に、端末接地検出端子１７８の電気的変化が発生するかを確認することができる。そして、制御部１６０は、ステップ５０３でイヤホン装置２００の挿入に該当するイベントが発生した場合は、ステップ５０７に分岐してイヤホン機能サポートをオーディオ信号パス切換に対して実行することができる。ここで、スイッチ素子１７７の制御端子が比較器Ｃｏｍの出力端及び端末接地検出端子１７８の出力端と連結されるＯＲゲート１７９の出力端と連結されることによって、イヤホン装置２００の挿入時、上記スイッチ素子１７７は制御部１６０の別途の制御無しで端末マイク端子１７１とキャパシタＣとが連結されるようにパスを形成することができる。
【００５９】
一方、ステップ５０９で、イヤホン装置２００が挿入解除される場合、端末マイク端子１７１はスイッチ素子１７７のパス切換によって接地端に連結されるように制御することができる。この過程で、設計過程でチューニング抵抗（ＲＴ）が追加配置された場合、端末マイク端子１７１はチューニング抵抗（ＲＴ）を通じて接地端に連結できる。ここで、スイッチ素子１７７のパス切換のための制御信号はＯＲゲート１７９の出力端に形成される電位に該当し、イヤホン検出端子１７５及び端末接地検出端子１７８のうち、少なくとも１つの電気的変化によってスイッチ素子１７７のパスが切換できる。この際、イヤホン接続インターフェース１７０でイヤホン左側端子２１４に対して端末左側端子１７４の以前の位置にイヤホン検出端子１７５が配置されるため、実質的にイヤホン検出端子１７５が端末接地検出端子１７８に比べて先に電気的変化を有するようになる。このような電気的変化は、比較器Ｃｏｍの出力を変化させ、それに従うＯＲゲート１７９の出力を変化させるようになるので、本発明のイヤホン接続インターフェース１７０は端末接地検出端子１７８のイヤホン除去に従う信号変化に関わらず、端末マイク端子１７１を接地電位を有するようにサポートすることができる。
【００６０】
図１０は、本発明の実施形態に従う端末機構造をより詳細に示す図である。
【００６１】
図１０を参照すると、本発明の端末機１００は、通信部１１０、入力部１２０、オーディオ処理部１３０、表示部１４０、格納部１５０、及び制御部１６０を含み、イヤホン装置２００の挿入のためのイヤホン接続インターフェース１７０を含むことができる。ここで、上記端末機１００の構成のうち、通信部１１０の構成は端末機１００が通信機能をサポートしない場合、省略することもできる。入力部１２０は、端末機１００の運用のための入力信号を生成する構成であって、ボタンやキー、サイドキー等で設けることができる。ここで、表示部１４０がタッチスクリーン形態に設けられる場合、表示部１４０は入力部の役割を実行することができる。
【００６２】
前述した本発明の端末機１００は、イヤホン装置２００がイヤホン接続インターフェース１７０に接続される場合、該当イヤホン装置２００の挿入を認識し、イヤホン装置２００と関連した機能サポートを実行することができる。この際、制御部１６０は端末マイク端子１７１にキャパシタＣが連結されるようにスイッチ素子１７７を制御することができる。そして、制御部１６０はイヤホン装置２００がイヤホン接続インターフェース１７０から解除される場合、キャパシタＣを端末マイク端子１７１と断線されるようにスイッチ素子１７７を制御することができる。これによって、本発明の端末機１００はイヤホン装置２００がイヤホン接続インターフェース１７０から解除される過程でイヤホン左側端子２１４とイヤホン右側端子２１３が端末マイク端子１７１に接触しても別途のノイズ発生を抑制することができる。
【００６３】
オーディオ処理部１３０は、端末機１００のオーディオ信号出力のためのスピーカーＳＰＫ及びオーディオ信号の収集のためのマイクＭＩＣを含むことができる。このようなオーディオ処理部１３０は、イヤホン接続インターフェース１７０にイヤホン装置２００が挿入されれば、スピーカーＳＰＫ及びマイクＭＩＣ機能をターン−オフするよう制御し、該当機能をイヤホン装置２００を基盤に実行されるように信号パス（Path）の切換を実行することができる。そして、オーディオ処理部１３０は、イヤホン装置２００がイヤホン接続インターフェース１７０から除去されれば、端末機１００の本体のスピーカーＳＰＫ及びマイクＭＩＣ機能をターンオンするように制御することができる。この際、オーディオ処理部１３０は制御部１６０の制御によって現在活性化されているユーザ機能が要求するスピーカーＳＰＫ及びマイクＭＩＣのうち、少なくとも１つを活性化するようにサポートする。
【００６４】
表示部１４０は、端末機１００のユーザ機能の運用に従う多様な画面を出力することができる。特に、表示部１４０はイヤホン接続インターフェース１７０にイヤホン装置２００が挿入された場合、または挿入解除された場合、それに従うアラームやメッセージなどを出力することができる。このために、制御部１６０は前述したイヤホン検出端子（Ear_DET）と連結された比較器Ｃｏｍの出力値及び端末接地検出端子１７８の出力値、該当出力値を入力で受信するＯＲゲート１７９の出力のうち、少なくとも１つを確認し、イヤホン接続インターフェース１７０にイヤホン装置２００が挿入または除去された状態に対応するメッセージまたはアイコンや画面上端に出力されるインジケーターなどを表示部１４０に出力するように制御することができる。
【００６５】
図１１は、本発明の実施形態に従うＦＥＴスイッチ素子を採用したイヤホン接続インターフェース１７０でのイヤホンプラグ除去過程でチックノイズが除去された状態を示す測定資料である。一方、イヤホン検出端子１７５でイヤホンプラグ２１０の除去を確認し、それに従う信号を端末機１００に設けられたＧＰＩＯポートを通じて伝達を受けた以後、またスイッチ素子１７７の制御のための信号を伝達する形態に具現するためには、イヤホンプラグ２１０をイヤホン接続インターフェース１７０から除去する時間を考慮して一定時間の以内に制限される必要がある。例えば、スイッチ素子１７７の制御のための時間が１ｍｓ以内に制限される場合、ノイズ除去できる。即ち、図１２に図示したように、スイッチ素子１７７を動作させるためにイヤホンプラグ２１０を除去した後、制御部１６０がスイッチ素子１７７の制御信号を伝達するための時間が一定時間必要であるので、該当時間の除去のためにＧＰＩＯ運用を除いて制御部１６０がスイッチ素子１７７を直接制御する方式を採択することもできる。または、端末機１００のシステム運用のためのクロックをより速い信号を用いることによって、スイッチ素子１７７の制御のために提供される制御信号の伝達を迅速に実行することによって、イヤホンプラグ２１０の除去時に発生できるチックノイズを減らすことができる。
【００６６】
一方、前述した端末機１００はその提供形態によって多様な追加モジュールをさらに含むことができる。即ち、上記端末機１００が通信端末機の場合、近距離通信のための近距離通信モジュール、上記端末機１００の有線通信方式または無線通信方式によるデータ送受信のためのインターフェース、インターネットネットワークと通信してインターネット機能を実行するインターネット通信モジュール、及びディジタル放送受信と再生機能を実行するディジタル放送モジュールのように、上で言及されていない構成をさらに含むこともできる。このような構成要素はディジタル機器のコンバージェンス（convergence）趨勢によって変形が非常に多様であるので、全て列挙することはできないが、上で言及された構成要素と同等な水準の構成要素を上記デバイスにさらに含めて構成できる。また、本発明の端末機１００はその提供形態によって上記した構成から特定構成を除外するか、他の構成に取り替えることもできることは勿論である。これは、本技術分野の通常の知識を有する者には容易に理解されるべきである。
【００６７】
また、本発明の実施形態に従う上記端末機１００は、多様な通信システムに対応する通信プロトコル（communication protocols）に基づいて動作する全ての移動通信端末機（mobile communication terminals）をはじめとして、ＰＭＰ（Portable Multimedia Player）、ディジタル放送プレーヤー、ＰＤＡ（Personal Digital Assistant）、音楽再生機（例えば、ＭＰ３プレーヤー）、携帯ゲーム端末、スマートフォン（Smart Phone）、ノートブック（Notebook）、及びハンドヘルドＰＣなど、全ての情報通信機器とマルチメディア機器、及びそれに対する応用機器を含むことができる。
【００６８】
一方、本明細書と図面を通じて本発明の好ましい実施形態に対して説明したものであり、特定の用語を使用したが、これは単に本発明の技術内容を簡潔に説明し、発明の理解を助けるための一般的な意味として使われたものであり、本発明の範囲を限定しようとするものではない。ここに開示された実施形態の他にも本発明の技術的思想に基づいた他の変形例が実施可能であるということは、本発明が属する技術分野で通常の知識を有する者に自明なものである。
【符号の説明】
【００６９】
１０    イヤホン運用システム
１００    端末機
１１０    通信部
１２０    入力部
１３０    オーディオ処理部
１４０    表示部
１５０    格納部
１６０    制御部
１７０    イヤホン接続インターフェース
２００    イヤホン装置
２１０    イヤホンプラグ
２２０    イヤマイク
２３０    イヤホン左側出力部
２４０    イヤホン右側出力部
【図１】
2014050108.tif 000003
【図２】
2014050108.tif 000004
【図３】
2014050108.tif 000005
【図４】
2014050108.tif 000006
【図５】
2014050108.tif 000007
【図６】
2014050108.tif 000008
【図７】
2014050108.tif 000009
【図８】
2014050108.tif 000010
【図９】
2014050108.tif 000011
【図１０】
2014050108.tif 000012
【図１１】
2014050108.tif 000013
【図１２】
2014050108.tif 000014